(57)【特許請求の範囲】
【請求項１】
各賞球遊技機（２）と遊技機管理装置（７）との間の通信路（８）に設けられ、且つ該各賞球遊技機（２）に対応すると共に、該各賞球遊技機（２）から得られる賞球実績等の出力信号が中継基板（４）を介して前記遊技機管理装置（７）等のコンピュータで読み取り可能な型式に処理された電気信号をリアルタイム又は一定時間毎に蓄積すると共に、該蓄積した電気信号を、前記遊技機管理装置（７）が日々の業務実績データ処理を行う前に、該遊技機管理装置（７）が処理可能な各種遊技情報等の処理データとして遊技機管理装置（７）に各賞球遊技機（２）毎に出力する信号読取処理装置（５）において、該信号読取処理装置（５）が、前記遊技機管理装置（７）に送る各賞球遊技機（２）毎の処理データの出力とは別に前記各賞球遊技機（２）から得られ、且つ前記中継基板（４）を介してコンピュータで読み取り可能な型式に処理される前の各賞球遊技機（２）毎の賞球実績等の出力信号を出力可能な構成にしてなることを特徴とする信号読取処理装置。
【発明の詳細な説明】
【０００１】
【発明の属する技術分野】
本発明は、賞球遊技機に用いられる信号読取処理装置に関するものである。
【０００２】
【従来の技術】
従来、賞球遊技機は、図６（イ）に示す様に、予め各種の賞球パターン等の遊技内容が書き込まれたＲＯＭ等を具備した賞球基板１５によってプレーヤーが楽しく遊べるような工夫がなされ、しかも該賞球遊技機１６は、賞球遊技機製造メーカーの大小を問わず全て賞球実績等をＯＮ／ＯＦＦの接点出力信号で出力可能な構造を有している。
【０００３】
即ち、同図（ロ）及び（ハ）に示すように、係る構造を有した各賞球遊技機１６の夫々には、前記接点出力信号を、店舗内に設置された遊技機管理装置１８が読み取りできる電気信号にして送り込むべく出力可能な中継基板１７が設けられている。（尚、前記遊技機管理装置１８は、前記中継基板１７から出力される電気信号を島単位で集める島コンピュータ１８ａと該島コンピュータ１８ａを介して集められた電気信号を得るための店舖管理（ホール）コンピュータ１８ｂとで構成されている。）
【０００４】
従って、前記中継基板１７を介して各賞球遊技機１６から出力される賞球実績等のＯＮ／ＯＦＦの接点出力信号をコンピュータが読み取り可能とした電気信号を遊技機管理装置１８を介して管理することにより、例えば、現時点（処理時間に若干の遅れ有）のみならず週間や月間等における店の利益や売上等の確認や予想を行ったり、又日々の業務実績データとしても残すことが出来るというものである。
【０００５】
【発明が解決しようとする課題】
しかしながら、上記構成からなる賞球遊技機においては、下記の様な問題点があった。
【０００６】
即ち、賞球遊技機は、風俗営業法や厳しい賞球遊技機の検定規格等により、一旦検定に合格した賞球遊技機に改造を施すことは一切許されない。
【０００７】
しかしながら、近年、その検定合格後の賞球遊技機に、不法侵入者や不正を働く者が、閉店後や営業時間中にＲＯＭの入れ替えや改ざん等の各種不正行為を、一つの遊技場で多数の賞球遊技機に対して行うという極めて悪質な不正行為が巧妙に行われているのが現状である。
【０００８】
よって、例え不正行為が行われた場合であっても、賞球遊技機に一切改造を施すことなく不正が行われた賞球遊技機を多数の賞球遊技機の中から即時特定して犯罪を未然に防止するための解決策が望まれていた。
【０００９】
而して、本発明は、上記問題を解決するものであり、例え賞球遊技機に何らかの不正行為が行われた場合であっても、賞球遊技機に一切改造を施すことなく不正行為が行われた賞球遊技機を多数の賞球遊技の中から信号読取処理装置を介して即時特定して犯罪を未然に防止することが出来るだけでなく、該信号読取処理装置が遊技機管理装置に送る各賞球遊技機毎の処理データの出力とは別に前記各賞球遊技機から得らるコンピュータで読み取り可能な型式に処理される前の各賞球遊技機の賞球実績等の出力信号を出力することで、島内で賞球遊技機が変更された場合であっても、ホールに備えつけられた既存の周辺機器との接続を確保することが出来ると共に、係る周辺機器を今まで通りに使用することが出来るという極めて優れた信号読取処理装置を提供することを課題とするものである。
【００１０】
【課題を解決するための手段】
而して、本発明は、上記課題を解決するために全く新しい賞球遊技機に用いられる信号読取処理装置を開発し、以下の手段を講じたものである。
【００１１】
即ち、本発明は、各賞球遊技機２と遊技機管理装置７との間の通信路８に設けられ、且つ該各賞球遊技機２に対応すると共に、該各賞球遊技機２から得られる賞球実績等の出力信号が中継基板４を介して前記遊技機管理装置７等のコンピュータで読み取り可能な型式に処理された電気信号をリアルタイム又は一定時間毎に蓄積すると共に、該蓄積した電気信号を、前記遊技機管理装置７が日々の業務実績データ処理を行う前に、該遊技機管理装置７が処理可能な各種遊技情報等の処理データとして遊技機管理装置７に各賞球遊技機２毎に出力する信号読取処理装置５において、該信号読取処理装置５が、前記遊技機管理装置７に送る各賞球遊技機２毎の処理データの出力とは別に前記各賞球遊技機２から得られ、且つ前記中継基板４を介してコンピュータで読み取り可能な型式に処理される前の各賞球遊技機２毎の賞球実績等の出力信号を出力可能な構成にある。
【００１２】
従って、信号読取処理装置５が、遊技機管理装置７による日々の業務実績データ処理が行われる前に、上記蓄積された賞球実績等の電気信号からスタート回数、大当たり回数、確変回数等の情報を前記遊技機管理装置７が日々の業務実績データ処理を行う際に必要な各種遊技情報等のデータに処理した処理データを出力するだけでなく該遊技機管理装置７に送る各賞球遊技機２毎の処理データの出力とは別に前記各賞球遊技機２から得られ、且つ前記中継基板４を介してコンピュータで読み取り可能な型式に処理される前の各賞球遊技機２毎の賞球実績等の出力信号することが出来る。
【００１３】
よって、信号読取処理装置５が遊技機管理装置７に送る各賞球遊技機２毎の処理データの出力とは別に前記各賞球遊技機２から得られ、且つ前記中継基板４を介してコンピュータで読み取り可能な型式に処理される前の各賞球遊技機２毎の賞球実績等の出力信号を前記処理データの出力とは別に出力可能なことから、例え島内で賞球遊技機２が変更された場合であっても、ホールに備えつけられた既存の周辺機器との接続を確保することが出来ると共に、係る周辺機器を今まで通りに使用することが出来るという利点がある。
【００１４】
更に、信号読取処理装置５が、各賞球遊技機２から得られる賞球実績等のＯＮ／ＯＦＦの接点出力信号を、中継基板４を介して得られる電気信号から遊技機管理装置７が各賞球遊技機２から得られる賞球実績等の信号を読み込み可能な共通の信号に処理すると共に、該遊技機管理装置７による日々の業務実績データ処理が行なわれる前に、上記電気信号からスタート回数、大当たり回数、確変回数等の情報信号を読み取ると共に、予め設定された所定時間内等における所定のデータ処理項目に応じて、前記スタート回数、大当たり回数、確変回数等の情報信号を前記遊技機管理装置７が日々の業務実績データ処理を行なう際に必要な各種遊技情報等のデータに処理した処理データを出力することから、処理信号又は処理データをチェックしたり、相互に比較することが可能となる。
【００１５】
従って、例え、賞球遊技機製造メーカー毎に異なる型式や形態等の賞球実績等のＯＮ／ＯＦＦの接点出力信号を出力する賞球遊技機２が島６内に混在している場合であっても多数の賞球遊技機２の中から特異な処理信号又は処理データを発する賞球遊技機２を、信号読取処理装置５を介して遊技機管理装置７が各賞球遊技機２から得られる賞球実績等の信号を読み込み可能な共通の信号に処理した処理信号又は予め設定された所定時間内等における所定のデータ処理項目に応じて、スタート回数、大当たり回数、確変回数等の情報を前記遊技機管理装置７が日々の業務実績データ処理を行なう際に必要な各種遊技情報等のデータに処理した処理データをもとに容易且つ瞬時に特定することが出来るという利点がある。
【００１６】
更に、不正行為が行われた賞球遊技機２や係る賞球遊技機２と似通った特異な処理信号又は処理データを発する他の賞球遊技機２をも多数の賞球遊技機２の中から即時特定して犯罪を未然に防止することが出来るという利点がある。
【００１７】
又、本発明の信号読取処理装置５には、前記通信路８に用いることなく所定波長の赤外線を送信可能な発信装置５ａ又は所定波長の赤外線を受信可能な受信装置５ｂの少なくとも何れか一方が設けられ、且つ該信号読取処理装置５が通路を介して対峙する各島６に設けられて赤外線による防犯ゾーンを構成してなる場合や該信号読取処理装置５が、島６に設けられた賞球遊技機２毎に配設されたトップランプに設けられてなる場合には、対峙する各島６間において、対向状態で並設された各賞球遊技機２間で常時又は一定間隔で所定波長の赤外線の発信・受信を、例えば、閉店時から開店時まで行うことにより、ホールへの不正侵入者等が各島６間を歩き回ったルートや特定の賞球遊技機２の前で何分間立ち止まったかという事実を赤外線を遮った箇所や遮断した時間から容易に知ることが可能となる。
【００１８】
従って、不正行為が行われた可能性のある賞球遊技機２を賞球実績等のＯＮ／ＯＦＦの接点出力信号の出力前、即ちホールの開店前に容易に特定することが可能となり、しいてはホールに生じる損害を未然に防止することが出来るという利点がある。
【００１９】
更に、信号読取処理装置５の夫々が島コンピュータ７ａ又はホールコンピュータ７ｂの少なくとも何れか一方を介して双方向通信可能な構成にしてなる場合には、例えば、通常、数百台単位でホールに設置された各賞球遊技機２の信号読取処理装置５間の双方向通信を、一般的なホールに備えつけられた既存の設備を利用して安価且つ円滑ならしめることが出来る利点がある。
【００２０】
よって、各信号読取処理装置５の通信機能をも簡略化することが可能となり、しいては全体の設備コストを必要最少限におさえることが出来るという利点がある。
【００２１】
更に、処理信号又は処理データの少なくとも何れか一方が、賞球遊技機２に外付けされた信号読取処理装置５より発せられる場合には、検定に合格した各製造メーカー毎の賞球遊技機２に何ら特別な改造等を一切施すことなく、信号読取処理装置５を各賞球遊技機２に対して後付けするだけで処理信号又は処理データの発信及び受信機能を容易に個々の賞球遊技機２に付加させることが出来るという利点がある。
【００２２】
よって、現在、市場に供給されている各メーカーの賞球遊技機２の全てに信号読取処理装置５を簡単に後付け装着することが可能なだけでなく、賞球遊技機２で得られる賞球実績等のＯＮ／ＯＦＦの接点出力信号の型式や形態等が各賞球遊技機製造メーカー毎に異なっている場合でも、各賞球遊技機２から得られる賞球実績等のＯＮ／ＯＦＦの接点出力信号の型式や形態等を一切変更することなく、信号読取処理装置５を介して前記接点出力信号を遊技機管理装置７が各賞球遊技機２から得られる賞球実績等の信号を読み込み可能な共通の信号に処理した処理信号又は予め設定された所定時間内等における所定のデータ処理項目に応じて、スタート回数、大当たり回数、確変回数等の情報を前記遊技機管理装置７が日々の業務実績データ処理を行なう際に必要な各種遊技情報等のデータに処理した処理データに変換して双方向通信可能に入出力することが出来るという利点がある。
【００２３】
更に、所定波長の赤外線を送信可能な発信装置５ａ又は所定波長の赤外線を受信可能な受信装置５ｂの少なくとも何れか一方が信号読取処理装置５に設けられる場合には、賞球遊技機２に何ら特別な改造等を一切施すことなく、各賞球遊技機２に後付けされた信号読取処理装置５に発信装置５ａ又は受信装置５ｂの少なくとも何れか一方を簡単且つ安価に具備させることが出来るという利点がある。
【００２４】
【発明の実施の形態】
以下、本発明における信号読取処理装置の一実施形態を図面に従って説明する。
【００２５】
図１に於いて、１は本発明における信号読取処理装置が用いられる賞球遊技機の集中管理装置を示し、該集中管理装置１は、賞球遊技場内（ホール内）に対峙すべく一定間隔で複数配設された島６の両面６ａに賞球基板３を有して一定間隔で並設された同一メーカー製の賞球遊技機（パチンコ台）２と、各賞球遊技機２から得られる賞球実績等のＯＮ／ＯＦＦの接点出力信号をコンピュータで読み取り可能な電気信号にする中継基板４を有すると共に、該中継基板４で得られた電気信号をリアルタイム又は一定時間毎に蓄積すると共に、該電気信号を、遊技機管理装置７が各賞球遊技機２から得られる賞球実績等の信号を読み込み可能な共通の信号に処理する信号読取処理装置５とを備え、しかも前記遊技機管理装置７は、、該信号読取処理装置５を介して得られた信号を島単位で集めるべく島６毎に設けられた島コンピュータ７ａ及び該各島コンピュータ７ａを管理すると共に、該各島コンピュータ７ａを介して集めた賞球実績等の信号を得るべく賞球遊技場内に設置されたホール（店舗管理）コンピュータ７ｂとから構成されてなるものである。
【００２６】
尚、上記賞球遊技機２は、風俗営業法や厳しい賞球遊技台の検定規格等により、一旦検定に合格した賞球遊技機２に改造を施すことは一切許されておらず、よって各賞球遊技機製造メーカーが製造する賞球遊技機２から得られる賞球実績等のＯＮ／ＯＦＦの接点出力信号の型式や形態等も一切変更することが出来ないものである。
【００２７】
上記各賞球遊技機２は、予め各種の賞球パターン等の遊技内容が書き込まれたＲＯＭ等を具備した賞球基板３によってプレーヤーが楽しく遊べるような工夫がなされ、しかも該賞球遊技機２は、賞球遊技機製造メーカーの大小を問わず多くが賞球実績等を電圧レベルの出力とリレーによる信号のＯＮ／ＯＦＦ（接点出力信号）として取り出すことが出来る構造を有してなると共に、該賞球遊技機２には、該賞球遊技機２から出力される賞球実績等のＯＮ／ＯＦＦの接点出力信号を遊技機管理装置７（コンピュータ）が読み込み可能な信号に変換することが出来る中継基板４が設けられ、しかも各中継基板４と島コンピュータ７ａとは信号伝達手段としての通信路８を介して個々に接続されている。
【００２８】
尚、上記ＯＮ／ＯＦＦ（接点出力）の接点出力信号としては、例えば、賞球遊技機２内のリレーが、遊技球が始動口（スタート）に入った時や図柄（賞球パターン）、が止まった時に、所定秒、ＯＮとなる信号型式のものやリレーが、状態が変遷するまで、即ち、大当たりの開始から終了まで、又確変の開始から終了までＯＮになる等の各種信号型式のものがある。
【００２９】
よって、各賞球遊技機２で得られた賞球実績等のＯＮ／ＯＦＦの接点出力信号は中継基板４を介してコンピュータが読み取りできる信号に変換され、その後信号読取処理装置５を介して個々の通信路８と前記島コンピュータ７ａを介して島単位で集められた後、遊技機管理装置７に順次送り込まれることとなる。
【００３０】
尚、上記中継基板４には、該中継基板４を介して前記賞球実績等のＯＮ／ＯＦＦの接点出力信号がコンピュータで読み取り出来る信号に変換された電気信号をリアルタイム又は一定時間毎に蓄積し、且つ該蓄積した電気信号を、前記遊技機管理装置７が各賞球遊技機２から得られる賞球実績等の信号を読み込み可能な共通の信号に処理する信号読取処理装置５が設けられ、しかも該信号読取処理装置５が、前記遊技機管理装置７による日々の業務実績データ処理が行なわれる前に、上記蓄積された賞球実績等の電気信号からスタート回数、大当たり回数、確変回数等の情報信号を読み取ると共に、予め設定された所定時間内等における所定のデータ処理項目に応じて、前記スタート回数、大当たり回数、確変回数等の情報信号を前記遊技機管理装置７が日々の業務実績データ処理を行なう際に必要な各種遊技情報等のデータに処理した処理データを中継基板４を介して前記通信路８に送出するか、若しくは、図２のように、かかる各種遊技情報処理データを中継基板４を介することなく直接通信路８に送出することが可能で、しかも信号読取処理装置５は、賞球遊技機２毎に配設されたトップランプ（図示せず）内に設けられている。
【００３１】
尚、トップランプ内に信号読取処理装置５を設けることにより、各ホールにおいて、既設された賞球遊技機２に対応したトップランプを利用して極めて簡単且つ迅速に信号読取処理装置５を設けることが出来るという施工上の利点があるが、島６内に信号読取処理装置５の設置スペースが存在すれば必ずしもトップランプ内に信号読取処理装置５を設けること自体は必須の要件ではないが、トップランプ内に設けた場合において、後述すべく赤外線の受信手段又は発信手段の少なくとも何れか一方を信号読取処理装置５が有した場合には、見通しの良い通信ゾーンを確保出来る好ましい設置箇所になり得るという利点がある。
【００３２】
上記信号読取処理装置５は、例えば、賞球遊技機２内のリレーが、遊技球が始動口に入った時や賞球パターンが止まった時に、所定秒、ＯＮとなる接点出力信号を中継基板４を介して読み取ってスタート回数を数えたり、始動口に入った数を数えたり、又リレーが、状態が変遷するまで、即ち、大当たりの開始から終了まで、又確変の開始から終了までＯＮになる等の接点出力信号を中継基板４を介してコンピュータで読み取り出来る信号に変換した電気信号から遊技機管理装置７が各賞球遊技機２から得られる賞球実績等の信号を読み込み可能な共通の信号に処理すると共に、前記遊技機管理装置７による日々の業務実績データ処理が行なわれる前に、上記電気信号からスタート回数、大当たり回数、確変回数等の情報信号を読み取り、予め設定された所定時間内等における所定のデータ処理項目に応じて、前記スタート回数、大当たり回数、確変回数等の情報信号を前記遊技機管理装置７が日々の業務実績データ処理を行なう際に必要な各種遊技情報等のデータに処理した処理データを発することが出来る機能を有してなるものである。
【００３３】
更に、詳しく説明すると、先ず、ホールにおいて行われる不正は、その殆どが、閉店後等において、不法侵入した者や店員との謀略により賞球遊技機２自体に改造を施したり、他の装置を追加する準備段階と、改造を施したり、他の装置が追加された賞球遊技機を営業中に通常とは違った打ち方（遊技方法）を行うことにより不正に出玉を得る実行段階とがある。
【００３４】
よって、上記信号読取処理装置５によれば、中継基板４を介して得られた電気信号をリアルタイム又は一定時間毎に蓄積すると共に、該電気信号から遊技機管理装置７が各賞球遊技機２から得られる賞球実績等の信号を読み込み可能な共通の信号に処理すると共に、遊技機管理装置７による日々の業務実績データ処理が行なわれる前に、上記電気信号からスタート回数、大当たり回数、確変回数等の情報信号を読み取り、予め設定された所定時間内等における所定のデータ処理項目に応じて、前記スタート回数、大当たり回数、確変回数等の情報信号を前記遊技機管理装置７が日々の業務実績データ処理を行なう際に必要な各種遊技情報等のデータに処理した処理データを発するものであるが、中継基板４を介して得られ、且つリアルタイム又は一定時間毎に蓄積された電気信号から各種遊技情報（遊技方法や賞球実績パターン等）を得ると共に、大当たりが発生した時点で、蓄積された各種遊技情報の出力パターンを分析し、予め保存されているデータ処理項目、例えば、各種の不正遊技パターンとを照合比較し、所定の処理データ（例えば、所定時間内でのパルス数、パルス電圧やパルスの出力パターン等を用いるのが正確ではあるが、この場合の信号型式やデータの型式等は任意に設定自在である）を発することが出来る機能を有してなるものである。
【００３５】
尚、上記信号読取処理装置５は、他の賞球遊技機２に設けられた信号読取処理装置５から遊技機管理装置７が各賞球遊技機２から得られる賞球実績等の信号を読み込み可能な共通の信号に処理されて発せられた処理信号又は遊技機管理装置７による日々の業務実績データ処理が行なわれる前に、賞球実績等の電気信号からスタート回数、大当たり回数、確変回数等の情報信号を読み取ると共に、予め設定された所定時間内等における所定のデータ処理項目に応じて、前記スタート回数、大当たり回数、確変回数等の情報信号を前記遊技機管理装置７が日々の業務実績データ処理を行なう際に必要な各種遊技情報等のデータに処理した処理データの少なくとも何れか一方を通信路８及び島コンピュータ７ａを介して受信し、自らが得た処理信号又は処理データの少なくとも何れか一方と比較する機能をも有している。
【００３６】
更に、上記各賞球遊技機２の信号読取処理装置５には、上記信号及び／又は処理データの伝達手段としての通信路８とは別に、例えば、電磁波の一つである赤外線を、対向（真正面に限定されない）する賞球遊技機２に向けて発信可能な発信装置５ａと対向（真正面に限定されない）する賞球遊技機２の信号読取処理装置５から発せられた赤外線を受信可能な受信装置５ｂが夫々設けられている。
【００３７】
尚、上記信号読取処理装置５は、発信装置５ａと受信装置５ｂとの間で通信される赤外線の受信時間及び否受信時間の夫々を時系列で記憶する機能を有している。
【００３８】
よって、係る信号読取処理装置５によれば、中継基板４で得られる電気信号を、遊技機管理装置７が各賞球遊技機２から得られる賞球実績等の信号を読み込み可能な共通の信号に処理すると共に、前記遊技機管理装置７による日々の業務実績データ処理が行なわれる前に、上記蓄積された賞球実績等の電気信号からスタート回数、大当たり回数、確変回数等の情報信号を読み取ると共に、予め設定された所定時間内等における所定のデータ処理項目に応じて、前記スタート回数、大当たり回数、確変回数等の情報信号を前記遊技機管理装置７が日々の業務実績データ処理を行なう際に必要な各種遊技情報等のデータに処理した処理データを出力すると共に、赤外線の受信時間や否受信時間をも個々の賞球遊技機２毎に個別管理することが出来るものである。
【００３９】
本発明の一実施形態における信号読取処理装置が設けられた賞球遊技機の集中管理装置は以上の構成からなり、次に係る賞球遊技機の集中管理装置を実際に使用する場合について説明する。
【００４０】
先ず、上記構成からなる集中管理装置１によれば、島６に並設された各賞球遊技機２と遊技機管理装置７との間に設けられた通信路８には、例えば、賞球遊技機２内のリレーが、遊技球が始動口に入った時や賞球パターンが止まった時に、所定秒、ＯＮとなる接点出力信号を中継基板４を介して読み取ってスタート回数や始動口に入った数を数えたり、又リレーが、状態が変遷するまで、即ち、大当たりの開始から終了まで、又確変の開始から終了までＯＮになる等の接点出力信号を中継基板４を介してコンピュータで読み取り出来る信号に変換した電気信号を蓄積すると共に、該蓄積された電気信号から遊技機管理装置７が各賞球遊技機２から得られる賞球実績等の信号を読み込み可能な共通の信号に処理すると共に、前記遊技機管理装置７による日々の業務実績データ処理が行なわれる前に、上記電気信号からスタート回数、大当たり回数、確変回数等の情報信号を読み取り、予め設定された所定時間内等における所定のデータ処理項目に応じて、前記スタート回数、大当たり回数、確変回数等の情報信号を前記遊技機管理装置７が日々の業務実績データ処理を行なう際に必要な各種遊技情報等のデータに処理した処理データ（例えば、所定時間内でのパルス数、パルス電圧やパルスの出力パターン等）を発することが出来る機能を有した信号読取処理装置５が設けられている。
【００４１】
又、係る信号読取処理装置５は、前記のように賞球遊技機２から得られる賞球実績等のＯＮ／ＯＦＦの接点出力信号が中継基板４を介してコンピュータが読み取りできる信号に変換された信号を通信路８へ送出する機能を有しているだけでなく、他の賞球遊技機２に設けられた信号読取処理装置５から中継基板４を介してコンピュータで読み取り出来る信号に変換した電気信号から遊技機管理装置７が各賞球遊技機２から得られる賞球実績等の信号を読み込み可能な共通の信号に処理して発せられた処理信号又は前記処理データの少なくとも何れか一方を通信路８及び島コンピュータ７ａを介して受信する機能を有してなると共に、自らが得た前記処理信号又は処理データの少なくとも何れか一方と比較する機能をも有している。
【００４２】
よって、各賞球遊技機２に設けられた信号読取処理装置５自体又は通信路８を介して遊技機管理装置７を用いると共に、該信号読取処理装置５を介して該遊技機管理装置７が各賞球遊技機２から得られる賞球実績等の信号を読み込み可能な共通の信号に処理された処理信号又は遊技機管理装置７が日々の業務実績データ処理を行なう際に必要な各種遊技情報等のデータに処理した処理データをチェックしたり、相互に比較することが可能となる。
【００４３】
従って、例え、賞球遊技機製造メーカー毎に異なる型式や形態等の賞球実績等のＯＮ／ＯＦＦの接点出力信号を出力する賞球遊技機２が島６内に混在している場合であっても多数の賞球遊技機２の中から特異な状態に処理された信号又は遊技機管理装置７が日々の業務実績データ処理を行なう際に必要な各種遊技情報等のデータが特異な状態に処理された処理データを発する賞球遊技機２を容易且つ瞬時に特定することが出来るという利点がある。
【００４４】
よって、ＲＯＭの入れ替えや改ざん等の各種不正行為が行われた賞球遊技機２や係る賞球遊技機２と似通った特異な信号又は処理データを発する他の賞球遊技機２をも多数の賞球遊技機２の中から即時特定して犯罪を未然に防止することが出来るという利点がある。
【００４５】
更に、上記構成からなる信号読取処理装置５には、所定波長の赤外線を発受可能な発信装置５ａ及び受信装置５ｂが処理信号又は処理データの伝達手段としての通信路５とは別に設けられ、しかも係る信号読取処理装置５は赤外線の受信時間や否受信時間をも個別管理可能な機能を有してなると共に、かかる実施形態において、信号読取処理装置５はトップランプに設けられているものである。
【００４６】
よって、例えば、対峙する各島６間において、対向する各賞球遊技機２の中で一方の島６に設けられた一台の賞球遊技機２に対して、他方の島６に設けられ、且つ真正面に位置する賞球遊技機２を除く両側の賞球遊技機２の夫々の発信装置５ａから、前記一方の島６の一台の賞球遊技機２の信号読取処理装置５の受信装置５ｂに所定波長の赤外線を発すると共に該一方の島６の賞球遊技機２の発信装置５ａから他方の島６の夫々の賞球遊技機２の受信装置５ｂの夫々に所定波長の赤外線を発することで各島６間に広範囲の防犯ゾーン（デルタ状）を出現させることが出来る。（実際には対峙する各島６にて対向する賞球遊技機２を全て上記の様に使用して各島６の間、即ち島６間の通路全体に多数の防犯ゾーンを連設することになる）
【００４７】
従って、対峙する各島６間において、対向する各賞球遊技機２の全てがトップランプに設けられた信号読取処理装置５を介して上記同様に島６間に広範囲のデルタ状の防犯ゾーンを連設状態で出現（図示せず）させた場合には、例えば赤外線の発受信を常時又は一定間隔で、例えば、閉店時から開店時まで行うことにより、ホールへの不正侵入者等が各島６間（通路）を歩き回ったルートや特定の賞球遊技機２の前で何分間立ち止まったかという事実を電磁波を遮った箇所や遮断した時間から容易に知ることが可能となる。
【００４８】
従って、不正行為が行われた可能性のある賞球遊技機２を賞球実績等のＯＮ／ＯＦＦの接点出力信号の出力前、即ちホールの開店前に容易に特定することが可能となり、しいてはホールに生じる損害を未然に防止することが出来るという利点がある。
【００４９】
更に、各賞球遊技機２に設けられた信号読取処理装置５の夫々が通信路８、島コンピュータ７ａ又はホールコンピュータ７ｂの少なくとも何れか一方を介して通信することから、例えば、通常、数百台単位でホールに設置された各賞球遊技機２間の通信を、一般的なホールに備えつけられた既存の設備を利用することで安価且つ円滑に比較チェックし犯罪を未然に防止することが出来るだけでなく通信路８を用いることでホールコンピュータ７ｂ側でも賞球遊技機２毎に処理された信号又は処理データの少なくとも何れか一方のチェックや比較を確実に行なうことで犯罪を防止することが出来る利点がある。
【００５０】
よって、各賞球遊技機２に設けられた信号読取処理装置５の通信機能にかかるコストをも既存の通信路８を利用することで簡略化することが可能となり、しいては全体の設備コストを必要最少限におさえることが出来るという利点がある。
【００５１】
更に、処理された信号又は処理データの少なくとも何れか一方が、賞球遊技機２に対応した中継基板４に接続された信号読取処理装置５より該中継基板４を介して通信路８に発せられるか、若しくは、かかる信号読取処理装置５が通信路８に発することから、検定に合格した各製造メーカー毎の賞球遊技機２に何ら特別な改造等を一切施すことなく、信号読取処理装置５を各賞球遊技機２に対応した中継基板４に後付けするだけで処理された信号又は処理データの発信及び受信機能を容易に個々の賞球遊技機２に対して付加させることが出来るという利点がある。
【００５２】
よって、現在、市場に供給されている各メーカーの賞球遊技機２に対応して設けられた中継基板４に信号読取処理装置５を簡単に後付け装着することが可能なだけでなく、賞球遊技機２で得られる賞球実績等の各種の接点出力信号の型式や形態等が各賞球遊技機製造メーカー毎に異なっている場合でも、各賞球遊技機２から得られる接点出力信号の型式や形態等を一切変更することなく、中継基板４を有した信号読取処理装置５を介して賞球遊技機２から得られる賞球実績等のＯＮ／ＯＦＦの接点出力信号を前記遊技機管理装置７等のコンピュータで読み取り可能にした電気信号を、前記遊技機管理装置７が各賞球遊技機２から得られる賞球実績等の信号を読み込み可能な共通の信号に処理すると共に、該信号読取処理装置５は、前記遊技機管理装置７による日々の業務実績データ処理が行なわれる前に、上記電気信号からスタート回数、大当たり回数、確変回数等の情報信号を読み取ると共に、予め設定された所定時間内等における所定のデータ処理項目に応じて、前記スタート回数、大当たり回数、確変回数等の情報信号を前記遊技機管理装置７が日々の業務実績データ処理を行なう際に必要な各種遊技情報等のデータに処理した処理データを双方向通信させることが出来、よって、ある箇所に存在する賞球遊技機２に設けられた信号読取処理装置５自らが得た前記処理信号又は処理データの少なくとも何れか一方と他の賞球遊技機２に設けられた信号読取処理装置５から得られた前記処理信号又は処理データの少なくとも何れか一方とをチェックしたり比較することで、不正行為が行われた可能性のある賞球遊技機２をホールの開店前に遊技機管理装置７を介して容易に特定することが可能となり、しいてはホールに生じる損害を未然に防止することが出来るという利点がある。
【００５３】
更に、赤外線の発信装置５ａ又は受信装置５ｂの少なくとも何れか一方が信号読取処理装置５に設けられた場合には、賞球遊技機２に何ら特別な改造等を一切施すことなく、各賞球遊技機２に対応して設けられた信号読取処理装置５に、赤外線の発信装置５ａ又は受信装置５ｂの少なくとも何れか一方を簡単且つ安価に具備させることが出来るという利点がある。
【００５４】
尚、上記実施形態において、各信号読取処理装置５は、賞球遊技機２から得られる賞球実績等のＯＮ／ＯＦＦの接点出力信号が前記中継基板４を介して遊技機管理装置７等のコンピュータで読み取り可能にされた電気信号を、遊技機管理装置７が各賞球遊技機２から得られる賞球実績等の信号を読み込み可能な共通の信号に処理すると共に、前記遊技機管理装置７による日々の業務実績データ処理が行なわれる前に、前記電気信号からスタート回数、大当たり回数、確変回数等の情報信号を読み取ると共に、予め設定された所定時間内等における所定のデータ処理項目に応じて、前記スタート回数、大当たり回数、確変回数等の情報信号を前記遊技機管理装置７が日々の業務実績データ処理を行なう際に必要な各種遊技情報等のデータに処理した処理データの少なくとも何れか一方を中継基板４に接続された通信路８及び島コンピュータ７ａを介してホールコンピュータ７ｂに送り込むことで、該ホールコンピュータ７ｂにて各賞球遊技機２の処理された信号又は処理データの少なくとも何れか一方をチェックしたり比較する構成にしてなるが、必ずしもこの構成に限るものではない。
【００５５】
図２に示すように、例えば、一方の島６のように、各賞球遊技機２の中継基板４の夫々に信号読取処理装置５を設けると共に各信号読取処理装置５をシリアル接続してもよい。
【００５６】
更に、同図において、例えば、他方の島６のように各賞球遊技機２の信号読取処理装置５を接続した中継基板４をシリアル接続してもよい。
【００５７】
よって、上記の如く各信号読取処理装置５や各中継基板４を接続した場合に限らず、信号読取処理装置５が、前記中継基板４を介しての電気信号から得られ、且つ遊技機管理装置へと出力される各賞球遊技機毎の処理データの出力とは別に各賞球遊技機２から得られるコンピュータで読み取り可能な型式に処理される前の各賞球遊技機２の賞球実績等の各種の出力信号を出力可能な場合には、島内で賞球遊技機２が変更された場合であっても、ホールに備えつけられた既存の周辺機器との接続を確保することが出来ると共に、係る周辺機器を今まで通りに使用することが出来るという利点がある。
【００５８】
従って、既存の周辺機器、各中継基板４、島コンピュータ７ａに接続された通信路８を利用して設備を必要最少限に整理して利用することが出来るという利点がある。
【００５９】
更に、図３に示すように、例えば、一方の島６のように、各賞球遊技機２の中継基板４の夫々をシリアル接続すると共に、該各中継基板４に接続される信号読取処理装置５の夫々をシリアル接続してもよく、又他方の島６のように各信号読取処理装置５のみがシリアル接続され、且つ中継基板４の夫々が通信路８を介して個々に島コンピュータ７ａに接続されていてもよい。
【００６０】
尚、上記実施形態において、信号読取処理装置５には、所定波長の赤外線を発受可能な発信装置５ａ及び受信装置５ｂが設けられているが、例えば、図４にしめすように、各信号読取処理装置５に受信装置５ｂのみが設けられた場合であってもよい。
【００６１】
よって、信号読取処理装置５に受信装置５ｂのみが具備された場合において、各島６間の通路や天井等に受信装置５ｂが受信可能な所定波長の赤外線を放射状に発する通信装置９を１基又は一定の間隔で複数設けることにより、対峙する各島６間に広範囲の防犯ゾーンを出現させることが可能となる。
【００６２】
従って、上記構成であっても赤外線を発する通信装置９と信号読取処理装置５の受信装置５ｂとの間で所定波長の赤外線の発受信を常時又は一定間隔で、例えば、閉店時から開店時まで行うことにより、ホールへの不正侵入者等が各島６間（通路）を歩き回ったルートや特定の賞球遊技機２の前で何分間立ち止まったかという事実を電磁波を遮った箇所や遮断した時間から容易に知ることが可能になるという利点がある。
【００６３】
更に、図５に示すように、例えば、各信号読取処理装置５の夫々がイーサネット（登録商標）チップを内蔵（図示せず）すると共に、ネットワークハブ１０に接続される構成であってもよい。
【００６４】
よって、この場合には、各信号読取処理装置５の夫々がホールコンピュータ７ｂを介して相互に又はホールコンピュータ７ｂと通信を行うことが可能となり、しいては、遊技機管理装置７のみならず各種の通信手段を用いて必要とする各信号読取処理装置５の夫々から得られるコンピュータが読み込み可能に処理された信号又は遊技機管理装置７が日々の業務実績データ処理を行なう際に必要な各種遊技情報等のデータに処理した処理データを遠隔管理することが出来るという利点がある。
【００６５】
尚、上記の如くネットワークハブ１０を用いる場合には、遊技機管理装置７にファイアウォールを設けなければならないのは言うまでもない。
【００６６】
上記実施形態において、信号読取処理装置５は島６に設けられた各賞球遊技機２の中継基板４に夫々設けられてなるが、必ずしも一つの中継基板４に一つの信号読取処理装置５を具備させる必要はなく、例えば、信号読取処理装置５が通信路８に直接設けられていてもよい。
【００６７】
又、上記の如く信号読取処理装置５が通信路８に設けられている場合において、係る信号読取処理装置５が複数の賞球遊技機２から得られる各賞球遊技機２毎の複数の賞球実績等の出力信号から夫々の賞球遊技機２毎の処理信号又は処理データの少なくとも何れか一方を一つの信号読取処理装置５が出力する構成であってもよい。
【００６８】
要は、各賞球遊技機２と遊技機管理装置７との間の通信路８に設けられ、且つ該各賞球遊技機２に対応すると共に、該各賞球遊技機２から得られる賞球実績等の出力信号が中継基板４を介して前記遊技機管理装置７等のコンピュータで読み取り可能な型式に処理された電気信号をリアルタイム又は一定時間毎に蓄積すると共に、該蓄積した電気信号を、前記遊技機管理装置７が日々の業務実績データ処理を行う前に、該遊技機管理装置７が処理可能な各種遊技情報等の処理データとして遊技機管理装置７に各賞球遊技機２毎に出力する信号読取処理装置５において、該信号読取処理装置５が、前記遊技機管理装置７に送る各賞球遊技機２毎の処理データの出力とは別に前記各賞球遊技機２から得られ、且つ前記中継基板４を介してコンピュータで読み取り可能な型式に処理される前の各賞球遊技機２毎の賞球実績等の出力信号を出力可能な構成であればよい。
【００６９】
又、信号伝達手段としての通信路８も必ず有線に限るものではなく、光、赤外線、ＡＭ波、ＦＭ波等の各種電磁波を用いた無線式であってもよい。
【００７０】
要は、賞球遊技機２から得られる賞球実績等の接点出力信号から遊技機管理装置７による日々の業務実績データ処理が行なわれる前に、中継基板４で得られる電気信号から賞球実績等の電気信号からスタート回数、大当たり回数、確変回数等の情報を読み取ると共に、予め設定された所定時間内等における所定のデータ処理項目に応じて、前記スタート回数、大当たり回数、確変回数等の情報を前記遊技機管理装置（７）が日々の業務実績データ処理を行なう際に必要な各種遊技情報等のデータに処理した処理データを発信可能な信号読取処理装置５が遊技機管理装置７と賞球遊技機２との間に設けられていれば、中継基板４や通信路８の具体的な種類や構造等も決して限定されないのは言うまでもない。
【００７１】
更に、上記各実施形態において、遊技機管理装置７は島６毎に設けられた島コンピュータ７ａとホールコンピュータ７ｂとから構成されているが、必ずしもこれに限定されるものではなく、例えば、遊技機管理装置７がホールコンピュータ７ｂのみで構成され、且つ各島６に設けられた個々の賞球遊技機２に対応した信号読取処理装置５から送られて来た各種の処理データを島コンピュータ７ａを一切介することなく直接ホールコンピュータ７ｂに入力させて管理する構成であってもよい。
【００７２】
更に、上記各実施形態において、信号読取処理装置５を有した中継基板４の夫々をシリアル接続したり、又各中継基板４に設けられた信号読取処理装置５の夫々をシリアル接続して島コンピュータ７ａに接続された通信路８を構築してなるが、必ずしもシリアル接続に限定されるものではなく、前記信号読取処理装置５の夫々又は中継基板４の夫々がパラレルで島コンピュータ７ａに接続されていてもよい。
【００７３】
要は、各賞球遊技機２から得られる賞球実績等のＯＮ／ＯＦＦの接点出力信号を遊技機管理装置７等のコンピュータで読み取り可能な電気信号にする中継基板４が設けられ、且つ該中継基板４又は前記通信路８の何れかに、該中継基板４で得られる電気信号をリアルタイム又は一定時間毎に蓄積すると共に、該蓄積した電気信号を、前記遊技機管理装置７が各賞球遊技機２から得られる賞球実績等の信号を読み込み可能な共通の信号に処理すべく設けられる信号読取処理装置５が、前記遊技機管理装置７による日々の業務実績データ処理が行なわれる前に、上記蓄積された賞球実績等の電気信号からスタート回数、大当たり回数、確変回数等の情報を読み取ると共に、予め設定された所定時間内等における所定のデータ処理項目に応じて、前記スタート回数、大当たり回数、確変回数等の情報を前記遊技機管理装置７が日々の業務実績データ処理を行なう際に必要な各種遊技情報等のデータに処理した処理データを遊技機管理装置７に送り込むことが出来る構成であれば、各賞球遊技機２及び信号読取処理装置５の接続手段や通信路８の具体的な構成も決して限定されないのは言うまでもない。
【００７４】
更に、本発明における信号読取処理装置５は、必ずしも集中管理装置のみに限定して使用されるものではなく、要は、賞球遊技場に配設される賞球遊技機２が、該賞球遊技機２で得られる各種の賞球実績等のＯＮ／ＯＦＦの接点出力信号を読み取ることで遊技機管理装置７が各賞球遊技機２から得られる賞球実績等の信号を読み込み可能な共通の信号に処理した信号又は遊技機管理装置７による日々の業務実績データ処理が行なわれる前に、スタート回数、大当たり回数、確変回数等の情報を読み取ると共に、予め設定された所定時間内等における所定のデータ処理項目に応じて、前記スタート回数、大当たり回数、確変回数等の情報を前記遊技機管理装置７が日々の業務実績データ処理を行なう際に必要な各種遊技情報等のデータに処理した処理データを発信可能な信号読取処理装置５を有した構成であればよく、更に、該信号読取処理装置５が他の賞球遊技機２の信号読取処理装置５から発信された前記処理信号又は処理データの少なくとも何れか一方を受信可能な信号読取処理装置５を有した構成であってもよい。
【００７５】
よって、上記の如く賞球遊技機２が信号読取処理装置５を具備した場合には、例えば、島６で入れ替えた新しい賞球遊技機２が以前に使用していた賞球遊技機２の製造メーカーとは異なる場合であっても、新しい賞球遊技台２が出力する賞球実績等のＯＮ／ＯＦＦの接点出力信号を現在使用している賞球遊技台２の製造メーカーの遊技機管理装置７にて管理可能な型式等の処理信号又は処理データに該信号読取処理装置５を介して容易に変換して該遊技機管理装置７へと送り込むことにより全ての賞球遊技機２を遊技機管理装置７を介して一元管理することが出来るという利点がある。
【００７６】
従って、現在使用している賞球遊技機２と異なる製造メーカーの賞球遊技機２に入れ替えて使用した場合であっても何の支障もなく現在使用している賞球遊技台２の製造メーカーに適応した遊技機管理装置７で、入れ替えられた異なる製造メーカーの賞球遊技機２を管理することが出来る利点がある。
【００７７】
更に、上記実施形態において、信号読取処理装置５には、所定波長の赤外線を発受可能な発信装置５ａ及び受信装置５ｂが設けられ、しかも係る信号読取処理装置５は赤外線の受信時間や否受信時間をも個別管理可能な機能を有してなるが、要は人の通過を検知可能な指向性を備えた赤外線であれば具体的な種類は限定されない。
【００７８】
更に、上記実施形態において、各信号読取処理装置５は通信路８を介して遊技機管理装置７に接続されてなることから、不正情報の内容のみならず不正な出玉を得るための遊技パターン等に関するデータ処理項目の情報を同ホール内に設置された全ての信号読取処理装置５に遊技機管理装置７を介して送り込んで不正防止システムを即時構築することが出来るだけでなく、一般電話回線や各種専用通信回線等の通信手段を介して全国のホールに配設された信号読取処理装置５に遊技機管理装置７を介して即時送り込むことにより全国規模の大規模防犯システムを構築することが出来るという利点がある。
【００７９】
而して、本発明に係る賞球遊技機も決してパチンコ専用台に限るものではなく、例えば、パチンコ店と呼ばれる遊技場に設置されるパチスロ台やスロットマシン等であってもよく、パチンコ店に設置される賞球遊技機の具体的な構造、種類や機種等も決して限定されないのは言うまでもないが、その他遊技機管理装置を構成する中継基板、信号読取処理装置、島コンピュータ及びホールコンピュータ等の具体的な構造、機能、数量及び配設箇所等も本発明の意図する範囲内で任意に設計変更自在である。
【００８０】
【発明の効果】
叙上のように、本発明は、各賞球遊技機と遊技機管理装置との間の通信路に設けられ、且つ該各賞球遊技機に対応すると共に、該各賞球遊技機から得られる賞球実績等の出力信号が中継基板を介して前記遊技機管理装置等のコンピュータで読み取り可能な型式に処理された電気信号をリアルタイム又は一定時間毎に蓄積すると共に、該蓄積した電気信号を、前記遊技機管理装置が日々の業務実績データ処理を行う前に、該遊技機管理装置が処理可能な各種遊技情報等の処理データとして遊技機管理装置に各賞球遊技機毎に出力する信号読取処理装置において、該信号読取処理装置が、前記遊技機管理装置に送る各賞球遊技機毎の処理データの出力とは別に前記各賞球遊技機から得られ、且つ前記中継基板を介してコンピュータで読み取り可能な型式に処理される前の各賞球遊技機毎の賞球実績等の出力信号を出力可能なことから、信号読取処理装置の夫々が処理データを相互に比較することで、不正行為が行われた賞球遊技機や係る賞球遊技機と似通った特異な処理信号又は処理データを発する他の賞球遊技機をも多数の賞球遊技機の中から即時特定して犯罪を未然に防止することが出来るという効果がある。
【００８１】
更に、例え、賞球遊技機製造メーカー毎に異なる型式や形態等の接点出力信号を出力する賞球遊技機が島内に混在している場合であっても多数の賞球遊技機の中から特異な処理信号又は処理データを発する賞球遊技機を容易且つ瞬時に特定することが可能になるという効果がある。
【００８２】
更に、本発明の信号読取処理装置が、遊技機管理装置に送る各賞球遊技機毎の処理データの出力とは別に前記各賞球遊技機から得られ、且つ前記中継基板を介してコンピュータで読み取り可能な型式に処理される前の各賞球遊技機毎の各種の賞球実績等の出力信号を出力可能なことから、例え島内で賞球遊技機が変更された場合であっても、ホールに備えつけられた既存の周辺機器との接続を確保することが出来ると共に、係る周辺機器を今まで通りに使用することが出来るという効果がある
【００８３】
又、本発明の信号読取処理装置には、前記通信路に用いることなく所定波長の赤外線を送信可能な発信装置又は所定波長の赤外線を受信可能な受信装置の少なくとも何れか一方が設けられ、且つ該信号読取処理装置が通路を介して対峙する各島に設けられて赤外線による防犯ゾーンを構成してなる場合や該信号読取処理装置が、島に設けられた賞球遊技機毎に配設されたトップランプに設けられてなる場合には、例えば対峙する各島間において、対向状態で並設された各賞球遊技機間で常時又は一定間隔で所定電磁波の発信・受信を、例えば、閉店時から開店時まで行うことにより、ホールへの不正侵入者等が各島間を歩き回ったルートや特定の賞球遊技機の前で何分間立ち止まったかという事実を電磁波を遮った箇所や遮断した時間から容易に知ることが可能となる。
【００８４】
よって、不正行為が行われた可能性のある賞球遊技機を賞球実績等のＯＮ／ＯＦＦの接点出力信号の出力前、即ちホールの開店前に容易に特定することが可能となり、しいてはホールに生じる損害を未然に防止することが出来るという効果を奏する。
【００８５】
従って、賞球遊技機に何らかの不正行為が行われた場合であっても、賞球遊技機に一切改造を施すことなく不正行為が行われた賞球遊技機を多数の賞球遊技機の中から即時特定して犯罪を未然に防止することが出来るという極めて優れた信号読取処理装置を提供することが出来るという格別な効果を有するに至った。
【図面の簡単な説明】
【図１】本発明における信号読取処理装置が用いられる賞球遊技機の集中管理装置の一実施形態を示す一部省略全体構成図。
【図２】賞球遊技機の集中管理装置の他の実施形態を示す一部省略全体構成図。
【図３】賞球遊技機の集中管理装置の他の実施形態を示す一部省略全体構成図。
【図４】賞球遊技機の集中管理装置の他の実施形態を示す一部省略全体構成図。
【図５】賞球遊技機の集中管理装置の他の実施形態を示す一部省略全体構成図。
【図６】従来の賞球遊技機の集中管理装置を示し、（イ）は賞球遊技機の正面図，（ロ）は賞球遊技機近傍の構成図，（ハ）は賞球遊技機の集中管理装置の一部省略全体構成図。
【符号の説明】
１…賞球遊技機の集中管理装置
２…賞球遊技機
４…中継基板
５…信号読取処理装置
６…島
７…遊技機管理装置
７ａ…島コンピュータ
７ｂ…ホールコンピュータ
８…通信路
【図１】
0004978901.tif 000002
【図２】
0004978901.tif 000003
【図３】
0004978901.tif 000004
【図４】
0004978901.tif 000005
【図５】
0004978901.tif 000006
【図６】
0004978901.tif 000007